(57)【要約】【課題】ベアリングをより強固に固定する。【解決手段】ステータを収容するフレームブッシュ部と、前記フレームブッシュ部に対してシャフトを回転可能に支持するベアリングと、を備え、前記ベアリングの内側面と前記フレームブッシュ部の内周面とに面接触する補強部材を設けたことを特徴とするファンモータ装置。【選択図】図１
2018207593.tif 000002
【特許請求の範囲】
【請求項１】
ステータを収容するフレームブッシュ部と、
前記フレームブッシュ部に対してシャフトを回転可能に支持するベアリングと、を備え、
前記ベアリングの内側面と前記フレームブッシュ部の内周面とに面接触する補強部材を設けたことを特徴とするファンモータ装置。
【請求項２】
前記補強部材は、前記フレームブッシュ部に接着されていることを特徴とする請求項１に記載のファンモータ装置。
【請求項３】
前記補強部材は、前記フレームブッシュ部に接着されている環状の部材であることを特徴とする請求項１又は２に記載のファンモータ装置。
【請求項４】
さらに、前記補強部材の内側面と前記フレームブッシュ部の前記補強部材よりも内側に形成された段差部との間に介装される弾性部材を有することを特徴とする請求項１から３までのいずれか１項に記載のファンモータ装置。
【請求項５】
前記ベアリングと前記補強部材とを側面において接するようにするとともに、前記ベアリングと前記補強部材との前記フレームブッシュ部下面側の面を面一にしたことを特徴とする請求項１から４までのいずれか１項に記載のファンモータ装置。
【発明の詳細な説明】
【技術分野】
【０００１】
本発明は、ファンモータ装置に関し、特に、ファンモータ装置のベアリング固定技術に関する。
【背景技術】
【０００２】
従来、ファンモータ装置に関しては様々な構造が提案されている（例えば、特許文献１等参照）。ファンモータ装置においては、ベアリングを接着剤で固定していた。
【先行技術文献】
【特許文献】
【０００３】
【特許文献１】特開２００２−１３８９８９号公報
【発明の概要】
【発明が解決しようとする課題】
【０００４】
図３は、ベアリングを接着剤で固定した構造の一例を示す断面図である。シャフト１２１とフレームブッシュ１１８との間に設けられるベアリング１２３を、その内側に設けられるバネ（コイルバネ）１２５により支えるとともに、フレームブッシュ１１８の下面とベアリング１２３の上面との間を接着剤により固定していた。
【０００５】
ベアリング１２３の一端をスナップリング１０１により、固定している。スナップリング１０１は、シャフト１２１に形成された溝部１５１に挿入されて固定されている。また、ベアリング１２３は、その他端側とフレームブッシュ１１８に形成された段部１１８ａとの間のスプリング１２７により付勢されている。
【０００６】
しかしながら、軸方向に大きな負荷、強い衝撃を受けると、接着剤が剥離する可能性があった。接着剤が剥離することにより、ベアリング１２３が適正な位置を保持できずベアリング１２３の寿命を縮める可能性があった。
本発明は、ベアリングをより強固に固定することを目的とする。
【課題を解決するための手段】
【０００７】
本発明の一観点によれば、ステータを収容するフレームブッシュ部と、前記フレームブッシュ部に対してシャフトを回転可能に支持するベアリングと、を備え、前記ベアリングの内側面と前記フレームブッシュ部の内周面とに面接触する補強部材を設けたことを特徴とするファンモータ装置が提供される。
【０００８】
前記補強部材は、前記フレームブッシュ部に接着されていることが好ましい。前記補強部材は、前記フレームブッシュ部に接着されている環状の部材であることが好ましい。
【０００９】
さらに、前記補強部材の内側面と前記フレームブッシュ部の前記補強部材よりも内側に形成された段差部との間に介装される弾性部材を有するようにすると良い。
【００１０】
上記において、前記ベアリングと前記補強部材とを側面において接するようにするとともに、前記ベアリングと前記補強部材との前記フレームブッシュ部下面側の面を面一にすると良い。このようにすると、前記ベアリングと前記補強部材とが一体化されて前記ブッシュ部と接触するため、補強効果が増す。
【発明の効果】
【００１１】
本発明によれば、ベアリングをより強固に固定することができる。
【図面の簡単な説明】
【００１２】
【図１】本実施の形態によるファンモータ装置の一構成例を示す側断面図である。
【図２】図２は、図１の固定構造の要部の断面図である。
【図３】ベアリングを接着剤で固定した構造の一例を示す断面図である。
【発明を実施するための形態】
【００１３】
以下、本発明の一実施の形態によるファンモータ装置について図面を参照しながら詳細に説明する。
【００１４】
図１は、本実施の形態によるファンモータ装置の一構成例を示す側断面図である。すなわち、ファンモータ装置Ａを、回転シャフト軸２１の中心を通る面に沿って切断した側断面図である。図２は、図１の固定構造の要部の断面図である。図１の左側が送風側ＡＲ１である。
【００１５】
図１及び図２に示すように、本実施の形態によるファンモータ装置Ａは、フレーム１と、羽根３と、フレームブッシュ部５と、羽根ボス部６の内面に設けられるロータカバー１４と、ロータカバー１４の内面に設けられるマグネット１３とを有する。ロータカバー１４はシャフト２１とロータブッシュ１８により接続されている。
【００１６】
これらの内側には、ステータコア７と、その外側に設けられるコイル１５及びそれらを絶縁するインシュレータ１１と、による回転駆動部が設けられている。例えば、回転駆動部の一方側には基板１７が設けられ、回転駆動部から基板１７への導通体１９が設けられている。
【００１７】
これら回転駆動部を収容するフレームブッシュ部５の下方には、ベアリング２３を介してシャフト２１が設けられている。
【００１８】
シャフト２１の上には、ベアリング２３の外側への移動を規制する規制部材３１（図３のスナップリング１０１に相当する）が設けられている。
【００１９】
そして、ベアリング２３の図１における内側面とフレームブッシュ部５の図１における内周面とに面接触する補強部材（カラー）３３が設けられている。
【００２０】
補強部材３３は、フレームブッシュ部５に接着されている、例えばベアリング外輪に沿った環状の部材である。
【００２１】
さらに、補強部材３３の図１における内側面とフレームブッシュ部５において補強部材３３よりもさらに内側に形成された段差部３４との間に弾性部材（バネ）３５が介装されている。段差部３４を形成する凹側の領域が、補強部材３３を実質的に収容する。さらに、補強部材３３の図１における内側面と段差部３４との間には弾性部材３５が介装されている。弾性部材３５は、補強部材３３を図示ＡＲ１の方向に付勢する。
【００２２】
ベアリング２３と補強部材３３とを側面において接するようにするとともに、ベアリング２３と補強部材３３とのフレームブッシュ部５下面側の面をフレームブッシュ部５下面と面一にすると、ベアリング２３と補強部材３３とが一体化されてフレームブッシュ部５と接触するため、ベアリング２３とフレームブッシュ部５との接着面積を増やすことができる。従って、ベアリング２３をフレームブッシュ部５により強固に固定することができる。
【００２３】
さらに、加工精度、組み立て精度を吸収できるように、弾性部材（与圧バネ）３５を設ける。このようにすると、接着強度が向上し、ベアリングの接着が剥がれにくい。従って、ボールベアリングに対して加重方向に力がかかっても羽根が移動したりがたつきが生じたりすることを抑制することができる。
【００２４】
以上のように、本実施の形態によれば、ベアリング外輪部に補助パーツ（カラー）を追加してベアリングと同時に接着することにより、接着面積を広くし接着力を増加させ確実に固定することができる。
【００２５】
加えて、ベアリングの接着強度を上げることで強い衝撃が加わった際でも適正な位置でベアリングを使用することができる。従って、ファンの信頼性が向上する。
【００２６】
上記の実施の形態において、添付図面に図示されている構成等については、これらに限定されるものではなく、本発明の効果を発揮する範囲内で適宜変更することが可能である。その他、本発明の目的の範囲を逸脱しない限りにおいて適宜変更して実施することが可能である。
【００２７】
例えば、補強部材は、全周に亘って形成されていなくても、一部に切れ目が形成されていても良い。切れ目があれば、容易に圧入が可能である。また、ベアリングの両側に補強部材を設けても良い。
【００２８】
また、本発明の各構成要素は、任意に取捨選択することができ、取捨選択した構成を具備する発明も本発明に含まれるものである。
【産業上の利用可能性】
【００２９】
本発明は、ファンモータ装置の固定構造に利用可能である。
【符号の説明】
【００３０】
Ａ…ファンモータ装置
１…フレーム
３…羽根
５…フレームブッシュ部
６…羽根ボス部
７…ステータコア
１１…インシュレータ
１３…マグネット
１４…ロータカバー
１５…コイル
２１…シャフト
２３…ベアリング
３３…補強部材（カラー）
３５…弾性部材（バネ）
【図１】
2018207593.tif 000003
【図２】
2018207593.tif 000004
【図３】
2018207593.tif 000005
【手続補正書】
【提出日】平成29年11月20日(2017.11.20)
【手続補正１】
【補正対象書類名】特許請求の範囲
【補正対象項目名】全文
【補正方法】変更
【補正の内容】
【特許請求の範囲】
【請求項１】
ステータを収容するフレームブッシュ部と、
前記フレームブッシュ部に対してシャフトを回転可能に支持するベアリングと、を備え、
前記ベアリングの内側面に面接触するとともに前記フレームブッシュ部の内周面に面接触して接着する補強部材を設け、
前記ベアリングと前記補強部材とを側面において接するようにするとともに、前記ベアリングと前記補強部材との前記フレームブッシュ部下面側の面を面一にしたことを特徴とするファンモータ装置。
【請求項２】
前記補強部材は、前記フレームブッシュ部に接着されている環状の部材であることを特徴とする請求項１に記載のファンモータ装置。
【請求項３】
さらに、前記補強部材の内側面と前記フレームブッシュ部の前記補強部材よりも内側に形成された段差部との間に介装される弾性部材を有することを特徴とする請求項１又は２に記載のファンモータ装置。
【手続補正書】
【提出日】平成30年3月30日(2018.3.30)
【手続補正１】
【補正対象書類名】特許請求の範囲
【補正対象項目名】全文
【補正方法】変更
【補正の内容】
【特許請求の範囲】
【請求項１】
ステータを収容するフレームブッシュ部を有し、
前記フレームブッシュ部の下方にベアリングを介してシャフトが設けられ、前記ベアリングは前記シャフトを回転可能に支持するファンモータ装置であって、
前記ベアリングのファン送風側とは反対側である内側面に面接触するとともに前記フレームブッシュ部の前記シャフト側の内周面に面接触して接着する補強部材を設け、
前記ベアリングと前記補強部材とを側面において接するようにするとともに、前記ベアリングと前記補強部材との前記フレームブッシュ部の前記シャフト側である下面側の面を面一にしたことを特徴とするファンモータ装置。
【請求項２】
前記補強部材は、前記フレームブッシュ部に接着されている環状の部材であることを特徴とする請求項１に記載のファンモータ装置。
【請求項３】
さらに、前記補強部材の前記ベアリングとは反対側の内側面と前記フレームブッシュ部の前記補強部材よりも前記ベアリングとは反対側の内側に形成された段差部との間に介装される弾性部材を有することを特徴とする請求項１又は２に記載のファンモータ装置。
【手続補正書】
【提出日】平成30年8月21日(2018.8.21)
【手続補正１】
【補正対象書類名】特許請求の範囲
【補正対象項目名】全文
【補正方法】変更
【補正の内容】
【特許請求の範囲】
【請求項１】
ステータを収容するフレームブッシュ部を有し、
前記フレームブッシュ部の下方にベアリングを介してシャフトが設けられ、前記ベアリングは前記シャフトを回転可能に支持するファンモータ装置であって、
前記ベアリングのファン送風側とは反対側である内側面に面接触するとともに前記フレームブッシュ部の前記シャフト側の内周面に面接触して接着する補強部材を設け、
前記ベアリングと前記補強部材とを側面において接するようにするとともに、前記ベアリングと前記補強部材との前記フレームブッシュ部の前記シャフト側である下面側の面を面一にし、
さらに、前記補強部材の前記ベアリングとは反対側の内側面と前記フレームブッシュ部の前記補強部材よりも前記ベアリングとは反対側の内側に形成された段差部との間に介装される弾性部材を有することを特徴とするファンモータ装置。
【請求項２】
前記補強部材は、前記フレームブッシュ部に接着されている環状の部材であることを特徴とする請求項１に記載のファンモータ装置。